(57)【要約】【課題】膜式ガスメータ等の流量計測装置において、分配板を本体ケースに取り付ける際、接着剤を使用せず、一定の押圧力で反り等の変形を起こさせずに、短時間で確実に取り付ける。【解決手段】計量部Ａの本体ケース１は、上端開口部に流路が形成された分配板５が固定ピン１１によって取り付けられる。分配板５の上面はバルブシート台として機能し、計量膜の往復動に連動するバルブが駆動され、分配板５に形成された流路は順次切り換えられ、ガス流入口あるいはガス流出口に交互に連通する。固定ピン１１は、胴部１２、頭部１３が合成樹脂、金属等により一体成型され、頭部１３には一対の弾性片１４が放射方向に設けられ、弾性片１４によって分配板５を本体ケース１の上端面に固定する。【選択図】図２
2007163420.tif 000002
【特許請求の範囲】
【請求項１】
計量室を構成する本体ケースと流路が形成された分配板を結合してなる流量計測装置において、頭部に弾性片を一体に形成した固定具を用い、前記弾性片によって前記分配板を前記本体ケースの開口部に押圧固定することを特徴とする流量計測装置。
【請求項２】
請求項１に記載の流量計測装置において、前記固定具は合成樹脂からなり、頭部に弾性片を一体形成したピンであることを特徴とする流量計測装置。
【請求項３】
請求項１または２に記載の流量計測装置において、前記弾性片の先端は前記ピンの胴部側に湾曲あるいは屈曲していることを特徴とする流量計測装置。
【請求項４】
請求項１乃至３のいずれかに記載の流量計測装置において、前記弾性片は一対の弾性片からなり、一方は他方より長く形成されていることを特徴とする流量計測装置。
【請求項５】
請求項２乃至４のいずれかに記載の流量計測装置において、前記ピンの胴部は多角形状であることを特徴とする流量計測装置。
【請求項６】
計量室を構成する本体ケースと流路が形成された分配板を結合してなるガスメータにおいて、ガス流量計測装置として請求項１乃至５のいずれかに記載の流量計測装置を用いたことを特徴とするガスメータ。
【発明の詳細な説明】
【技術分野】
【０００１】
本発明は、流量計測装置及びガスメータに関し、さらに詳細には、流量計測装置やガスメータの本体ケースに分配板（バルブシート台）を取り付ける際、本体ケースと分配板とを弾性片付きの固定具で固定するようにした流量計測装置及びガスメータに関する。
【背景技術】
【０００２】
今日、都市ガス用等のガスメータとして膜式ガスメータが使用されている。膜式ガスメータは、本体ケース内の２つの計量室に組み込まれた計量膜の往復運動により、計量膜の両側のガスを交互に本体ケース外に排出するもので、この計量膜の往復運動をリンク機構によって回転運動に変換し、すべり弁を駆動して計量室に流入し・流出するガスの分配を行い、またカウンタを駆動して積算流量を表示する。
【０００３】
図７は、膜式ガスメータの内部構造を示す側断面図である。
膜式ガスメータの一例として図７に示す膜式ガスメータは特許文献１に開示されたもので、計量部Ａ、運動変換部Ｂ、表示部Ｃとからなる。計量部Ａは、本体ケース１内で２つの室２，２をそれぞれ計量膜３で仕切って、各室にそれぞれ一対の計量室２ａ，２ｂを形成している。計量膜３は、各々の中央部分に金属製の膜板４を取り付け、各計量室２ａ，２ｂ内で往復動可能に支持される。
【０００４】
図７に示す膜式ガスメータは、ガス流量の計量時、ガス流入口７から流入するガスを、運動変換部Ｂ内を通して一対の計量室２ａ，２ｂの一方に導入し、他方の計量室内のガスを押し出して所定量ずつガス流出口８から排出する。このとき、計量膜３を往復動し、その往復動を運動変換部Ｂで回転運動に変換し、その回転運動がリンク機構を介しカウンタ９を駆動し、液晶表示装置等の表示装置１０によって積算流量を表示する。
【０００５】
計量部Ａの本体ケース１は、その上端開口部に計量室２ａ，２ｂに連通する流路が形成された分配板５が取り付けられている。分配板５はバルブシート台として機能し、この表面で計量膜３，３の往復動に連動するバルブ６が駆動され、分配板５に形成された流路はバルブ６によって順次切り換えられ、ガス流入口７あるいはガス流出口８に交互に連通する。
【０００６】
図８は、従来例１における本体ケースと分配板の取り付け構造を示す断面図である。
従来例１の本体ケース１の上端開口部と分配板５の取り付け構造においては、表面をバルブが摺動する分配板５は薄鉄板等を用いて形成され、分配板５は本体ケース１の上端面に接着剤３１で接着して固定する。
【０００７】
図９は、従来例２における本体ケースと分配板の取り付け構造を示す断面図である。
従来例２の取り付け構造は、本体ケース１の上端面と分配板５との間にシール剤３２を介在させ、分配板５の上面からネジ３３によって固定する。
【特許文献１】特開２００２−１８１５９５号公報
【発明の開示】
【発明が解決しようとする課題】
【０００８】
膜式ガスメータにおいて、本体ケース１の上端面と分配板の取り付け構造は、従来、図８、９に示すような構造が採用されていたが、従来例１のような取り付け構造では、分配板と本体ケースの上面を接着剤で固定する構成であるので、接着剤が完全に乾燥するまでに長時間を要し（例えば、約６時間）、後続する製造工程へ直ちに移行することができず、乾燥、硬化のための保管場所が必要となる。
【０００９】
また、従来例２のような取り付け構造では、本体ケースと分配板の間にシール剤を介在させ、分配板の上からネジ締め等で固定する構成であるため、ネジ締め時のトルク管理が十分でないと、締め付け強度不足や分配板の反りが発生することが予想され、分配板を高剛性とするために、厚肉の材料で形成する等の必要があり、小型軽量の流量計測装置及びガスメータを提供することが困難になる。
【００１０】
本発明は、以上のような状況に鑑みてなされたもので、ガスメータ等の流量計測装置において、その分配板を本体ケースに取り付ける取付け手段に接着剤を使用せずに、分配板を一定の押圧力で本体ケースに取り付けることができ、分配板に反り等の変形を起こさせず、しかも短時間で取り付けることができる取り付け構造を備えた流量計測装置及びガスメータを提供することを目的とする。
【００１１】
また、分配板を本体ケースに取り付ける取付け手段として、頭部に弾性片を有するピンを用いることにより、押圧力の管理が容易になり、分配板を指定された適正な力で本体ケースに押圧することができ、分配板の反りが発生することがない流量計測装置及びガスメータを提供することを目的とする。
【課題を解決するための手段】
【００１２】
本発明の請求項１に係る発明は、計量室を構成する本体ケースと流路が形成された分配板を結合してなる流量計測装置において、頭部に弾性片を一体に形成した固定具を用い、前記弾性片によって前記分配板を前記本体ケースの開口部に押圧固定することを特徴とする。
【００１３】
請求項２に係る発明は、請求項１に記載の流量計測装置において、前記固定具は合成樹脂からなり、頭部に弾性片を一体形成したピンであることを特徴とする。
【００１４】
請求項３に係る発明は、請求項１または２に記載の流量計測装置において、前記弾性片の先端は前記ピンの胴部側に湾曲あるいは屈曲していることを特徴とする。
【００１５】
請求項４に係る発明は、請求項１乃至３のいずれかに記載の流量計測装置において、前記弾性片は一対の弾性片からなり、一方は他方より長く形成されていることを特徴とする。
【００１６】
請求項５に係る発明は、請求項２乃至４のいずれかに記載の流量計測装置において、前記ピンの胴部は多角形状であることを特徴とする。
【００１７】
請求項６に係る発明は、計量室を構成する本体ケースと流路が形成された分配板を結合してなるガスメータにおいて、ガス流量計測装置として請求項１乃至５のいずれかに記載の流量計測装置を用いたことを特徴とする。
【発明の効果】
【００１８】
本発明は、計量室を構成する本体ケースと流路が形成された分配板を結合してなる流量計測装置において、頭部に弾性片を一体に形成した固定具を用い、分配板を弾性片によって本体ケースに押圧固定するので、分配板と本体ケースを固定した後、接着剤の乾燥を待たずに次の製造工程に移すことができ、流量計測装置の製造時間を短縮し、接着剤を乾燥・硬化させるための保管スペースを不要とすることができる。
【００１９】
また、本体ケースと分配板の結合構造に用いる固定具として、頭部に弾性片を有する固定ピンを用いるので、分配板を本体ケースの上端面に対し指定された適正な力で押圧することができ、分配板を簡単な構成とすることができる。また、固定具の胴部が多角形状であることにより、固定具の胴部で分配板の位置決めを行うことができる。
【発明を実施するための最良の形態】
【００２０】
以下、本発明の実施の形態を図１〜６を参照して説明する。
図１は、本発明が適用される膜式ガスメータの計量部の外観を示す斜視図、図２は、図１のＸ−Ｘ断面図である。
膜式ガスメータの計量部Ａの本体ケース１は、その上端開口部に流路が形成された分配板５が固定ピン１１によって取り付けられている。分配板５の上面は平坦に形成されバルブシート台として機能し、この表面を図７に示す膜式ガスメータと同様に、計量膜３の往復動に連動するバルブ６が駆動され、分配板５に形成された流路はバルブ６によって順次切り換えられ、ガス流入口７あるいはガス流出口８に交互に連通する。
【００２１】
（第１の実施形態）
図３は、実施形態１の本体ケースと分配板の取り付け構造を示す図で、図３（Ａ）は、固定ピンの斜視図、図３（Ｂ）は、本体ケースと分配板の取り付け構造を示す断面図である。
実施形態１の本体ケース１と分配板５の取り付け構造で使用する固定ピン１１は、径大部１２ａと軸方向にリブを有する径小部１２ｂからなる胴部１２、頭部１３とからなり、頭部１３には一対の弾性片１４ａ，１４ｂが放射方向に設けられ、それぞれの先端部が胴部１２側へ湾曲されている。固定ピン１１は、弾性に富んだ合成樹脂、金属等の材料により形成され、胴部１２、頭部１３、弾性片１４が一体成形される。
【００２２】
本体ケースと分配板の取り付け構造は図３（Ｂ）に示すように、膜式ガスメータの本体ケース１の開口部端面に形成されたピン穴１ａと分配板５の対応位置に形成されたピン挿通孔５ａを一致させ、図３（Ａ）に示す固定ピン１１を圧入し、径大部１２ａの下端段部を本体ケース１の端面に当接させる。このとき、一対の弾性片１４ａ，１４ｂの先端部が分配板５のピン挿通孔５ａの周囲を一定の押圧力で押圧する。
【００２３】
（第２の実施形態）
図４は、実施形態２の固定ピンを示す斜視図である。
実施形態２の取り付け構造で使用する固定ピン１５は、径大部１６ａと軸方向にリブを有する径小部１６ｂからなる胴部１６、頭部１７とからなり、頭部１７には一対の弾性片１８ａ，１８ｂが放射方向に設けられ、それぞれの弾性片１８ａ，１８ｂは折曲され、それぞれ２箇所の折曲部からなる階段状に形成されている。固定ピン１５は、弾性に優れた合成樹脂、金属等の材料により形成され、胴部１６、頭部１７、弾性片１８が一体成形される。第２の実施形態の固定ピン１５によれば、弾性片１８ａ，１８ｂが長く、分配板５と接触し押圧する部分の面積を大きくすることができ、安定して押圧することができる。
【００２４】
（第３の実施形態）
図５は、実施形態３の固定ピンを示す斜視図である。
実施形態３の取り付け構造で使用する固定ピン１９は、径大部２０ａと軸方向にリブを有する径小部２０ｂからなる胴部２０、頭部２１とからなり、頭部２１には一対の弾性片２２ａ，２２ｂが放射方向に設けられる。一方の弾性片２２ａは３箇所の折曲部を有し、他方の弾性片２２ｂは２箇所の折曲部を有し、一方の弾性片２２ａが長く形成されている。実施形態３の固定ピンは、分配板５を押圧するスペース幅が偏っているような場合に用いるのに適した構成である。
【００２５】
（第４の実施形態）
図６は、実施形態４の固定ピンを示す斜視図で、図６（Ａ）は、径大部の断面形状が３角形の固定ピンを示し、図６（Ｂ）は、径大部の断面形状が４角形の固定ピンを示す。
図６（Ａ）に示す実施形態４の取り付け構造で使用する固定ピン２３は、３角形状の径大部２４ａと軸方向にリブを有する径小部２４ｂからなる胴部２４、頭部２５とからなり、頭部２５には一対の弾性片２６ａ，２６ｂが放射方向に設けられる。また、図６（Ｂ）に示す固定ピン２３は、その胴部が４角形状の径大部２８ａと軸方向にリブを有する小径部２８ｂから形成される。実施形態４の固定ピン２３は、実施形態１の固定ピン１１と比較すると、径大部２４ａ，２８ａの構成が異なり、径大部２４ａ，２８ａの断面形状が多角形状である。径大部２４ａ，２８ａの断面形状としては、図６（Ａ）に示す３角形、図６（Ｂ）に示す４角形が例示されるが、５角形あるいはそれ以上の多角形とすることができ、また、正多角形に限られるものでもない。実施形態４の固定ピンによれば、固定ピンの胴部で分配室の位置決めをすることができる。
【００２６】
以上の実施形態１〜４において、固定ピン１１による固定箇所は、少なくとも分配板５の対角線上の２箇所とされるが、これに限られるものではなく、必要とされる取り付け強度に応じて、３箇所またはそれ以上の任意の箇所とすることができる。また、従来例のような接着剤やシール材を併用することができるが、この場合においては、必ずしも接着剤の乾燥・硬化を待たなければならないものではない。
【図面の簡単な説明】
【００２７】
【図１】本発明が適用される膜式ガスメータの計量部の外観を示す斜視図である。
【図２】図１のＸ−Ｘ断面図である。
【図３】実施形態１の本体ケースと分配板の取り付け構造を示す図である。
【図４】実施形態２の固定ピンを示す斜視図である。
【図５】実施形態３の固定ピンを示す斜視図である。
【図６】実施形態４の固定ピンを示す斜視図である。
【図７】膜式ガスメータの内部構造を示す側断面図である。
【図８】本体ケースと分配板の取り付け構造の従来例１を示す断面図である。
【図９】本体ケースと分配板の取り付け構造の従来例２を示す断面図である。
【符号の説明】
【００２８】
Ａ…計量部、Ｂ…運動変換部、Ｃ…表示部、１…本体ケース、２…計量室、３…計量膜、４…膜板、５…分配板、６…バルブ、７…ガス流入口、８…ガス流出口、９…カウンタ、１０…表示装置、１１，１５，１９，２３…固定ピン、１２，１６，２０，２４…胴部、１３，１７，２１，２５…頭部、１４，１８，２２，２６…弾性片、３１…接着剤、３２…シール剤、３３…ネジ。
【図１】
2007163420.tif 000003
【図２】
2007163420.tif 000004
【図３】
2007163420.tif 000005
【図４】
2007163420.tif 000006
【図５】
2007163420.tif 000007
【図６】
2007163420.tif 000008
【図７】
2007163420.tif 000009
【図８】
2007163420.tif 000010
【図９】
2007163420.tif 000011